(57)【特許請求の範囲】
【請求項１】
底板(1)、対向する側板(2)、面取部(3)及び天板(4)を連設し、内容物を巻き込んで、側板(2)と天板(4)の間に介在する面取部(3)を上方へかけて内側へ傾斜させ、側板(2)から延びる端板(6)と、底板(1)及び天板(4)から延びる端板(7)とを貼り合わせて封緘するラップラウンド式包装箱において、前記面取部(3)に、両端で交わり、側板(2)及び天板(4)との稜線(12)に平行しないように相反方向に湾曲又は屈曲する罫線(11)が存在し、前記側板(2)から延びる端板(6)の面取部(3)に臨む端縁は、積上荷重の作用に伴い面取部(3)が罫線(11)に沿って折れ曲がった状態における罫線(11)の交点に対応する位置まで側板(2)との稜線から上方へ垂直に延び、それより上方の部分が面取部(3)の傾斜方向へ傾いていることを特徴とする包装箱。
【発明の詳細な説明】
【技術分野】
【０００１】
この発明は、飲料入りペットボトル等の包装に使用されるラップラウンド式包装箱に関するものである。
【背景技術】
【０００２】
従来、この種の包装箱として、下記特許文献１（段落［００２４］、図４及び図７）に記載されたような段ボール製のラップラウンド式包装箱が使用されている。
【０００３】
この包装箱は、図７に示すように、底板５１、対向する側板５２、面取部５３及び天板５４を連設し、集積したペットボトルＢを巻き込んで、側板５２と天板５４の間に介在する面取部５３を上方へかけて内側へ傾斜させ、側板５２から延びる端板５５と、底板５１及び天板５４から延びる端板５６とを貼り合わせて封緘するものである。
【０００４】
そして、このような面取部５３を設けることにより、輸送時や保管時に大きな積上荷重が作用したとき、側板５２が樽型に撓んで胴膨れするのではなく、極力平面形状を保ちながら外側へ移動するようにして、変形が目立たなくなることを意図している。
【先行技術文献】
【特許文献】
【０００５】
【特許文献１】特開２００６−３０６４９７号公報
【発明の概要】
【発明が解決しようとする課題】
【０００６】
しかしながら、上記のような包装箱では、吸湿により段ボールの強度が低下しやすい梅雨や夏期等において、積上荷重が長時間作用すると、図８に示すように、側板５２と端板５５の稜部が面取部５３と側板５２の境界部分から破れ、側板５２が膨出し、小売段階での品質に対する印象が悪化することがある。
【０００７】
そこで、この発明は、積上荷重による変形が目立たず、稜部の破れも防止されるようにすることを課題とする。
【課題を解決するための手段】
【０００８】
上記のような課題を解決するため、この発明は、底板、対向する側板、面取部及び天板を連設し、内容物を巻き込んで、側板と天板の間に介在する面取部を上方へかけて内側へ傾斜させ、側板から延びる端板と、底板及び天板から延びる端板とを貼り合わせて封緘するラップラウンド式包装箱において、前記面取部に、両端で交わり、側板及び天板との稜線に平行しないように相反方向に湾曲又は屈曲する罫線を入れたのである。
【発明の効果】
【０００９】
この発明に係る包装箱では、積上荷重が作用したとき、面取部が罫線に沿って折れ曲がり、その折曲部分に強力な反発が生じて、ばね効果を発揮し、側板の負担が軽減されるので、側板の膨出や側板と端板との稜部の破れが防止され、段ボールの強度が低下しやすい梅雨や夏期等においても、良好な外観で小売業者に納品することができる。
【図面の簡単な説明】
【００１０】
【図１】この発明の第１実施形態に係る包装箱のブランクを示す図
【図２】同上の組立状態を示す斜視図
【図３】同上の積上荷重作用時の状態を示す側面図
【図４】同上のコーナー部分を示す拡大斜視図
【図５】この発明の第２実施形態に係る包装箱の組立状態を示す斜視図
【図６】この発明の第３実施形態に係る包装箱の組立状態を示す斜視図
【図７】従来の面取部を有する包装箱の組立状態を示す斜視図
【図８】同上の積上荷重作用時のコーナー部分を示す拡大斜視図
【発明を実施するための形態】
【００１１】
以下、この発明の実施形態を添付図面に基づいて説明する。
【００１２】
図１に示すように、第１実施形態に係る段ボール製包装箱のブランクでは、底板１の両側に側板２及び面取部３が順次連設され、一方の面取部３に天板４が、他方の面取部３に継代片５が一列に並んで連設されている。各側板２の両端には端板６が連設され、底板１及び天板４の両端には端板７が連設されている。
【００１３】
天板４に繋がる端板７は、底板１に繋がる端板７よりも両端間の寸法が小さく、端板６の面取部３に近接する角部は、斜めに切断されている。
【００１４】
また、天板４に繋がる端板７には、把手８を形成する切込が入れられ、側板２には、開封用のカットテープ等による引裂帯９及び切込による摘み部１０が設けられている。
【００１５】
そして、面取部３には、両端で交わり、中央側で間隔が広くなるように相反方向に湾曲する曲線とした２本の罫線１１が裏面側からの押圧により入れられている。この罫線１１は、面取部３と側板２及び天板４との稜線１２に平行することがない。
【００１６】
このブランクを組み立てて商品の飲料入りペットボトルを包装するには、図２に示すように、底板１に集積したペットボトルＢを載せ、両側の側板２を起立させ、面取部３をペットボトルＢの肩部沿いに上方へかけて内側へ傾斜させ、継代片５に天板４を貼り付け、端板６と端板７とを貼り合わせて封緘する。
【００１７】
上記のような包装箱では、図３及び図４に示すように、積上荷重が作用したとき、面取部３が罫線１１に沿って折れ曲がり、その折曲部分に強力な反発が生じて、ばね効果を発揮し、側板２の負担が軽減される。
【００１８】
このため、側板２の膨出や側板２と端板６との稜部の破れが防止され、段ボールの強度が低下しやすい梅雨や夏期等においても、良好な外観のまま、小売業者に納品することができる。
【００１９】
ところで、罫線１１は、図５に示す第２実施形態のように、面取部３の中央側で間隔が広くなるように屈曲する直線としてもよく、図６に示す第３実施形態のように、面取部３の両端間で複数回交わるように屈曲する直線としてもよい。これらの場合、罫線１１の屈曲点を結ぶ罫線１３を入れてもよい。
【００２０】
なお、上記実施形態では、面取部３の両端に亘る方向に２本の罫線１１を入れたものを例示したが、面取部３には、３本以上の罫線１１を入れると、この効果をより強力に得ることができる。
【００２１】
また、上記実施形態では、天板４と側板２の間にのみ、罫線１１を有する面取部３を設けたものを例示したが、これに加えて、天板４と端板７の間にも、罫線１１を有する面取部３を設けてもよい。
【００２２】
また、包装する商品の底部外周がテーパー状に絞られている場合においては、上方の面取部３に加えて、底板１と側板２の間や底板１と端板７の間にも、罫線１１を有する面取部３を設けてもよい。
【符号の説明】
【００２３】
１  底板
２  側板
３  面取部
４  天板
５  継代片
６，７  端板
８  把手
９  引裂帯
１０  摘み部
１１  罫線
１２  稜線
１３  罫線
Ｂ  ペットボトル
【図１】
0005893929.tif 000002
【図２】
0005893929.tif 000003
【図３】
0005893929.tif 000004
【図４】
0005893929.tif 000005
【図５】
0005893929.tif 000006
【図６】
0005893929.tif 000007
【図７】
0005893929.tif 000008
【図８】
0005893929.tif 000009